(57)【要約】【課題】記録媒体を搬送する記録媒体搬送回転部材から除去して回収容器内に回収した異物を確実に保持して、異物の飛散を防止する異物除去装置を、安価に提供する。【解決手段】異物除去装置４０には、開口部Ｚを有する回収容器４１を備える。その回収容器の内部には、第１ブレード（異物除去部材）４２、回転体４３、および第２ブレード（回転体異物除去部材）４４を備える。そのような異物除去装置を駆動レジストローラ（記録媒体搬送回転部材）２４ａの周面に向けて設ける。このとき、異物除去装置は、駆動レジストローラの回転方向における開口部の下流側位置に第１ブレードがあり、その第１ブレードの先端が駆動レジストローラ２４ａの周面に接触するよう配置する。同時に、駆動レジストローラの回転方向における開口部の上流側内部に回転体があり、その回転体が駆動レジストローラの周面に接触するよう配置する。【選択図】        図３
2004161473.tif 000002
【特許請求の範囲】
【請求項１】
回収容器の開口部を記録媒体搬送回転部材の周面に向け、その記録媒体搬送回転部材の回転方向における前記開口部の下流側位置に異物除去部材を設けて前記記録媒体搬送回転部材の周面に接触し、その周面に付着する異物を前記異物除去部材で除去してその異物を前記回収容器内に回収する、画像形成装置の異物除去装置において、
前記記録媒体搬送回転部材の周面に接触してその回転方向における前記開口部の上流側内部に回転体を設けることを特徴とする、異物除去装置。
【請求項２】
前記回転体を前記記録媒体搬送回転部材に従動回転のみするように設けることを特徴とする、請求項１に記載の異物除去装置。
【請求項３】
前記回転体として、ブラシを用いることを特徴とする、請求項１または２に記載の異物除去装置。
【請求項４】
前記回転体として、周面を布で覆ったローラを用いることを特徴とする、請求項１または２に記載の異物除去装置。
【請求項５】
前記回転体に接触してそれに付着する異物を除去する回転体異物除去部材を設けることを特徴とする、請求項１ないし４のいずれか１に記載の異物除去装置。
【請求項６】
前記記録媒体搬送回転部材の周面と前記開口部の上流側縁部との間に、０．８ｍｍ〜２．０ｍｍの隙間を設けることを特徴とする、請求項１ないし５のいずれか１に記載の異物除去装置。
【請求項７】
前記回収容器に圧抜き開口を設けるとともに、その圧抜き開口を塞ぐフィルタを備えることを特徴とする、請求項１ないし６のいずれか１に記載の異物除去装置。
【請求項８】
請求項１ないし７のいずれか１に記載の異物除去装置を備えることを特徴とする、画像形成装置。
【請求項９】
請求項１ないし７のいずれか１に記載の異物除去装置を、記録媒体の搬送を案内するガイド部材で支持することを特徴とする、請求項８に記載の画像形成装置。
【請求項１０】
前記ガイド部材を、記録媒体の搬送を案内するガイド位置とジャム処理位置とに回動自在に設けることを特徴とする、請求項９に記載の画像形成装置。
【発明の詳細な説明】
【０００１】
【発明の属する技術分野】
この発明は、複写機やプリンタやファクシミリ、もしくはそれらの複合機、または印刷機その他の、用紙・ＯＨＰフィルム等の記録媒体に画像を形成する画像形成装置に関する。および、そのような画像形成装置に備え、記録媒体を搬送する記録媒体搬送回転部材に付着する例えば紙粉などの異物を除去する、異物除去装置に関する。
【０００２】
【従来の技術】
例えばプリンタ等の画像形成装置では、用紙（記録媒体）を搬送ローラ（記録媒体搬送回転部材）により搬送し、例えば作像装置で形成したトナー画像を転写して用紙に画像を形成し、その画像形成済みの用紙を画像形成装置本体外に排出して例えばトレイ上のスタック部にスタックしていた。
【０００３】
ところで、長期間、画像形成装置を使用していると、搬送ローラに、紙粉等の異物が付着して堆積することがある。そのように搬送ローラに異物が堆積してしまうと、搬送ローラの摩擦係数を下げ、用紙の搬送にくるいが生じる原因となり問題となっていた。
【０００４】
また、紙粉が作像装置に入り込むと、例えば電子写真式画像形成装置の場合には、像担持体に付着したりし、その付着した異物をクリーニング装置で完全に除去できないときには、異状画像の形成の原因となり問題となっていた。
【０００５】
そこで、従来の画像形成装置の中には、そのような問題を解決するため、たとえば特許文献１および特許文献２に記載される技術があった。
【０００６】
【特許文献１】特開平７−２５５０３号公報
特許文献１に記載の画像形成装置の一例を図１０に示す。この画像形成装置には、例えば用紙Ｓを作像装置１へ搬送する一対の搬送ローラ２Ａを備える。その搬送ローラ２Ａの一方には、異物除去装置３Ａを設けていた。
【０００７】
その異物除去装置３Ａは、回収容器４Ａの開口部Ｚを、一方の搬送ローラ２Ａの周面に向けて設ける。また、搬送ローラ２Ａの回転方向における開口部Ｚの、上流側内部にスクイシート５Ａを、下流側内部に異物除去部材５Ｂを設けていた。それらスクイシート５Ａおよび異物除去部材５Ｂのそれぞれの先端を、搬送ローラ２Ａの周面に接触するように設けていた。
【０００８】
そして、画像形成時、搬送ローラ２Ａの回転により用紙Ｓを作像装置１へ搬送するとともに、搬送ローラ２Ａに付着した異物を異物除去部材５Ｂにより除去する。また、回収容器４Ａの開口部Ｚを、搬送ローラ２Ａとスクイシート５Ａと異物除去部材５Ｂとで塞いで、搬送ローラ２Ａから除去して回収容器４Ａ内に回収した異物を保持していた。
【０００９】
ところで、特許文献１に記載される画像形成装置の他例を図１１に示す。図１１に示す画像形成装置において、図１０に示す画像形成装置と同様のものには、同一の符号を付して説明を省略する。
【００１０】
この画像形成装置の搬送ローラ２Ｂは、その表面を導電層としている。また、異物除去装置３Ｂは、導電層に電圧を印加する電圧印加部６を備えていた。
【００１１】
そして、画像形成時、搬送ローラ２Ｂの回転により用紙Ｓを作像装置１へ搬送する。同時に、電圧印加部６により導電層に電圧を印加し、用紙Ｓに付着した導電性の異物を、搬送ローラ２Ｂの表面に強固に付着し、スクイシート５Ａを通過させてから、異物除去部材５Ｂにより除去していた。
【００１２】
【特許文献２】特開平１０−１２９８７４号公報
ところで、特許文献２に記載の画像形成装置の一部を図１２に示す。この画像形成装置も、用紙Ｓを搬送する一対の搬送ローラ２Ｃを備える。その搬送ローラ２Ｃの一方には、異物除去装置３Ｃを設けていた。
【００１３】
その異物除去装置３Ｃには、開口部Ｚを有する断面コ字状の回収容器４Ｂを備える。その回収容器４Ｂには、異物除去部材５Ｃの先端が搬送ローラ２Ｃの一方の周面に接触するように異物除去部材５Ｃの基端を取り付けていた。
【００１４】
そして、画像形成時、搬送ローラ２Ｃの回転により、用紙Ｓを搬送するとともに、搬送ローラ２Ｃに付着した異物７を異物除去部材５Ｃにより除去し、重力の作用により回収容器４Ｂの底に異物７を保持していた。
【００１５】
【発明が解決しようとする課題】
上述した特許文献１および特許文献２の画像形成装置に備える異物除去装置３Ａ、３Ｂ、３Ｃには、それぞれ以下の問題があった。
【００１６】
特許文献１の図１０に示す異物除去装置３Ａでは、スクイシート５Ａの先端が搬送ローラ２Ａに接触する回転方向上流位置で異物がたまってしまう問題があった。
【００１７】
特許文献１の図１１に示す異物除去装置３Ｂでは、電圧印加部６を備えるので、それにより異物除去装置３Ｂが高価となる問題があった。
【００１８】
特許文献２に記載の異物除去装置３Ｃでは、回収容器４Ｂの開口部Ｚから異物７がもれ、画像形成装置内に異物７が飛散してしまう問題があった。
【００１９】
そこで、この発明の第１の目的は、記録媒体搬送回転部材から除去して回収容器内に回収した異物を確実に保持して、異物の飛散を防止する異物除去装置を、安価に提供することにある。
【００２０】
この発明の第２の目的は、回転体の、回収容器内に回収した異物を放出する方向への回転を防止して、異物が飛散するのを防止することにある。
【００２１】
この発明の第３の目的は、一層良好に異物を除去することにある。
【００２２】
この発明の第４の目的は、除去した異物が、再度、記録媒体搬送回転部材に付着するのを防止することにある。
【００２３】
この発明の第５の目的は、記録媒体搬送回転部材と開口部の上流側縁部との隙間で異物がつまるのを防止するとともに、その隙間から異物が飛散するのを防止することにある。
【００２４】
この発明の第６の目的は、回転体の回転により、回収容器内の圧力が高くなった場合においても、回収容器から異物が飛散するのを防止することにある。
【００２５】
この発明の第７の目的は、上記各目的を達成した異物除去装置を備える画像形成装置を提供することにある。
【００２６】
この発明の第８の目的は、安価な画像形成装置を提供することにある。
【００２７】
この発明の第９の目的は、ジャムした記録媒体を容易に除去できるようにすることにある。
【００２８】
【課題を解決するための手段】
そのため、請求項１に記載の発明は、第１の目的を達成すべく、
回収容器の開口部を記録媒体搬送回転部材の周面に向け、その記録媒体搬送回転部材の回転方向における開口部の下流側位置に異物除去部材を設けて記録媒体搬送回転部材の周面に接触し、その周面に付着する異物を異物除去部材で除去してその異物を回収容器内に回収する、画像形成装置の異物除去装置において、
記録媒体搬送回転部材の周面に接触してその回転方向における開口部の上流側内部に回転体を設けることを特徴とする。
【００２９】
請求項２に記載の発明は、第２の目的も達成すべく、
請求項１に記載の異物除去装置において、
回転体を記録媒体搬送回転部材に従動回転のみするように設けることを特徴とする。
【００３０】
請求項３に記載の発明は、第３の目的も達成すべく、
請求項１または２に記載の異物除去装置において、
回転体として、ブラシを用いることを特徴とする。
【００３１】
請求項４に記載の発明は、第３の目的も達成すべく、
請求項１または２に記載の異物除去装置において、
回転体として、周面を布で覆ったローラを用いることを特徴とする。
【００３２】
請求項５に記載の発明は、第４の目的も達成すべく、
請求項１ないし４のいずれか１に記載の異物除去装置において、
回転体に接触してそれに付着する異物を除去する回転体異物除去部材を設けることを特徴とする。
【００３３】
請求項６に記載の発明は、第５の目的も達成すべく、
請求項１ないし５のいずれか１に記載の異物除去装置において、
記録媒体搬送回転部材の周面と開口部の上流側縁部との間に、０．８ｍｍ〜２．０ｍｍの隙間を設けることを特徴とする。
【００３４】
請求項７に記載の発明は、第６の目的も達成すべく、
請求項１ないし６のいずれか１に記載の異物除去装置において、
回収容器に圧抜き開口を設けるとともに、その圧抜き開口を塞ぐフィルタを備えることを特徴とする。
【００３５】
請求項８に記載の発明は、第７の目的も達成すべく、
画像形成装置において、
請求項１ないし７のいずれか１に記載の異物除去装置を備えることを特徴とする。
【００３６】
請求項９に記載の発明は、第８の目的も達成すべく、
請求項８に記載の画像形成装置において、
請求項１ないし７のいずれか１に記載の異物除去装置を、記録媒体の搬送を案内するガイド部材で支持することを特徴とする。
【００３７】
請求項１０に記載の発明は、第９の目的も達成すべく、
請求項９に記載の画像形成装置において、
ガイド部材を記録媒体の搬送を案内するガイド位置とジャム処理位置とに回動自在に設けることを特徴とする。
【００３８】
【発明の実施の形態】
以下、図面を参照しつつ、この発明の実施の形態につき説明する。
図１には、電子写真式画像形成装置の一例であるレーザプリンタの概略構成を示す。
【００３９】
図中符号１０は、画像形成装置本体であるプリンタ装置本体である。プリンタ装置本体１０内の図中右側には、ドラム状の像担持体１２を回転自在に設ける。像担持体１２のまわりには、その横に設けるローラ状の帯電装置１３から像担持体１２の矢印Ａで示す回転方向に順に、現像装置１４、転写・搬送装置１５、クリーニング装置１６などを配置する。また、少し離れた位置に、光書込み装置１７を設置する。
【００４０】
なお、図示例では、像担持体１２と帯電装置１３と現像装置１４とクリーニング装置１６とを１つのカートリッジケース１８内に備え、プロセスカートリッジ１９を構成する。このようなプロセスカートリッジ１９は、プリンタ装置本体１０に対して着脱自在に設ける。また、プロセスカートリッジ１９と転写・搬送装置１５で作像装置２０を構成する。
【００４１】
光書込み装置１７の下方には、用紙（記録媒体）Ｓを収納する給紙カセット２１を上下２段にそれぞれプリンタ装置本体１０に着脱自在に取り付ける。各給紙カセット２１の先端側（図中右側）には、給紙カセット２１内に収納した用紙Ｓを一枚ずつ分離して繰り出し可能とする給紙ローラ（記録媒体搬送回転部材）２２をそれぞれ備える。各給紙ローラ２２位置からは、途中で合流して上方に向けてのび、像担持体１２と転写・搬送装置１５間の転写位置ａを過ぎてさらに上方に向けてのび、図中二点鎖線で示す用紙搬送路Ｒを形成する。
【００４２】
用紙搬送路Ｒには、転写位置ａの上流に一対のレジストローラ（記録媒体搬送回転部材）２４および搬送ローラ（記録媒体搬送回転部材）２５を設け、下流に定着装置２６および一対の排紙ローラ２７を設ける。定着装置２６には、定着ローラ２８と加圧ローラ２９を備える。また、プリンタ装置本体１０上には、記録済みの用紙Ｓのスタック部３０を設ける。
【００４３】
また、プリンタ装置本体１０の右側には、手差し給紙トレイ３２を開閉自在に備え、開いた手差し給紙トレイ３２上にセットした積載用紙Ｓを一枚ずつ分離して繰り出す給紙ローラ（記録媒体搬送回転部材）３３を備える。
【００４４】
さていま、このレーザプリンタで用紙Ｓに記録を行うときは、例えばホストからの書き込み信号に基づき、像担持体１２を反時計まわりに回転する。
【００４５】
同時に、プリンタ装置本体１０内の給紙ローラ２２、または手差し給紙トレイ３２の給紙ローラ３３の１つを選択的に回転し、給紙カセット２１、または手差し給紙トレイ３２から用紙Ｓを繰り出し、用紙搬送路Ｒを通じてレジストローラ２４に突き当てて止める。
【００４６】
他方、像担持体１２の回転とともに、まず帯電装置１３でその表面を所定の極性に一様に帯電し、次いで光書込み装置１７から出射する光変調したレーザ光Ｌを照射して書き込みを行い、静電潜像を形成する。それから、現像装置１４でトナーを付着してその静電潜像を現像し、可視像化して像担持体１２上にトナー画像を形成する。
【００４７】
そして、その像担持体１２上のトナー画像にタイミングを合わせて、レジストローラ２４を回転して用紙Ｓを送り出し、その用紙Ｓに、転写位置ａで転写・搬送装置１５により像担持体１２上のトナー画像を転写してから、定着装置２６へ搬送する。
【００４８】
画像転写後の用紙Ｓは、定着装置２６の定着ローラ２８と加圧ローラ２９のニップ間に入れ、熱と圧力とを加えて用紙Ｓ上の転写画像を定着して後、排紙ローラ２７で排出してスタック部３０上にスタックする。
【００４９】
一方、画像転写後の像担持体１２は、その回転とともに、クリーニング装置１６で、画像転写後になお表面上に残留する残留トナーを除去し、帯電からはじまる再度の画像形成に備える。
【００５０】
次に、図示プリンタのレジストローラ２４や搬送ローラ２５などの用紙Ｓを搬送する記録媒体搬送回転部材には、図２に示す異物除去装置４０を設けることができる。
【００５１】
その異物除去装置４０は、長さ方向に細長い、例えば矩形状の開口部Ｚを有する回収容器４１を備える。その開口部Ｚの幅は、例えば記録媒体搬送回転部材の長さとほぼ同じとする。その回収容器４１の開口部Ｚの図中上側は、後述する回転体の形状に沿った半円形状をしている。また、図中右側面には、つまみ部４１ａを設ける。そのような回収容器４１は、例えば樹脂を用いてつくる。
【００５２】
その回収容器４１の内部には、第１ブレード（異物除去部材）４２、回転体４３、および第２ブレード（回転体異物除去部材）４４を備える。
【００５３】
第１ブレード４２には、例えば０．１ｍｍないし０．３ｍｍ程度の厚さのポリエステル製のフィルムを用いる。そのような第１ブレード４２は、先端を開口部Ｚに突出するように、基端を回収容器４１に例えばネジや両面テープを用いて取り付ける。
【００５４】
回転体４３には、例えば金属または繊維で形成した複数の毛４３ａが表面から突出するブラシを用いる。そのような回転体４３の両端の軸は、回収容器４１の両側面に回転自在に取り付ける。また、回転体４３の軸には、不図示の一方向クラッチを設け、一方向（図中反時計まわり）にのみ回転するように設ける。
【００５５】
なお、上述には、回転体４３としてブラシを用いる例を示したが、その周面を織物または編物の布で覆ったローラを用いても良い。
【００５６】
第２ブレード４４には、その先端が回転体４３に接触するように、基端を回収容器４１に例えばネジや両面テープを用いて取り付ける。第２ブレード４４にも、例えば０．１ｍｍないし０．３ｍｍ程度の厚さのポリエステル製のフィルムを用いる。
【００５７】
ところで、図２に示した異物除去装置４０は、図１に示したプリンタのレジストローラ２４に、例えば図３に示すように設ける。
【００５８】
レジストローラ２４は、例えば図中右に配置する駆動レジストローラ２４ａと、左に配置する従動レジストローラ２４ｂとで構成する。それら駆動レジストローラ２４ａと従動レジストローラ２４ｂとの長さは、このプリンタでトナー画像を転写する用紙Ｓのうちで、幅がもっとも大きな用紙Ｓの用紙幅より大きくする。駆動レジストローラ２４ａと従動レジストローラ２４ｂとは互いの周面を接するように用紙搬送路Ｒをはさんで対向して配置する。
【００５９】
駆動レジストローラ２４ａには、不図示の駆動手段を設け、その駆動手段の作動により、駆動レジストローラ２４ａが回転するとともに、その回転により従動レジストローラ２４ｂが回転して用紙Ｓを搬送する。
【００６０】
そのような駆動レジストローラ２４ａには、上述した異物除去装置４０の回収容器４１の開口部Ｚを駆動レジストローラ２４ａの周面に向けて設ける。そのような異物除去装置４０は、例えば用紙Ｓの搬送を案内するガイド部材４５ａで支持する。
【００６１】
このとき、異物除去装置４０は、駆動レジストローラ２４ａの回転方向における開口部Ｚの下流側位置に第１ブレード４２があり、その第１ブレード４２の先端が駆動レジストローラ２４ａの周面に接触するよう配置する。
【００６２】
同時に、駆動レジストローラ２４ａの回転方向における開口部Ｚの上流側内部に回転体４３があり、その回転体４３が駆動レジストローラ２４ａの周面に接触するよう配置する。
【００６３】
また、回転体４３の回転方向は、駆動レジストローラ２４ａに接触する位置でその回転方向と同一方向となるようにして、駆動レジストローラ２４ａに従動回転のみするように設ける。
【００６４】
そして、用紙Ｓを作像装置２０へ搬送するとき、駆動レジストローラ２４ａと従動レジストローラ２４ｂとで用紙Ｓをはさみつつ、駆動レジストローラ２４ａおよび従動レジストローラ２４ｂの回転により搬送する。同時に、駆動レジストローラ２４ａの回転により、第１ブレード４２および回転体４３が、駆動レジストローラ２４ａの周面に付着した異物４６をそれぞれ除去して、その異物４６を回収容器４１内に回収する。
【００６５】
それとともに、第２ブレード４４が、回転体４３に付着する異物４６を除去して、その異物４６を回収容器４１内に回収する。
【００６６】
よって、駆動レジストローラ２４ａの周面に付着した異物４６を、第１ブレード４２で除去するとともに、回転体４３でも除去し、それらにより二重に除去するので、異物４６を確実に除去することができる。
【００６７】
加えて、回収容器４１の開口部Ｚを駆動レジストローラ２４ａの周面に向け、その駆動レジストローラ２４ａの周面に接触して回転方向における開口部Ｚの下流側位置に第１ブレード４２を設け、駆動レジストローラ２４ａの周面に接触してその回転方向における開口部Ｚの上流側内部に回転体４３を設けるので、回収容器４１の開口部Ｚを、駆動レジストローラ２４ａと第１ブレード４２と回転体４３とで塞ぐから、駆動レジストローラ２４ａから除去して回収容器４１内に回収した異物４６を確実に保持して、異物４６が回収容器４１外へ出て、プリンタ装置本体１０内に飛散することを防止することができる。
【００６８】
さらに加えて、駆動レジストローラ２４ａの周面に接触してその回転方向における開口部Ｚの上流側内部に回転体４３を設けるので、回転体４３の回転により、異物４６を回収容器４１内に搬送するから、回転体４３の上流で異物４６がたまることを防止することができる。
【００６９】
さらに加えて、前述のような異物除去装置４０を用いるので、特許文献１の図１１に示した技術と異なり、電圧印加部６を不要とするから、安価な異物除去装置４０を提供することができる。
【００７０】
さらに加えて、回転体４３に接触してそれに付着する異物４６を、第２ブレード４４により除去するので、異物４６が、再度、駆動レジストローラ２４ａに付着するのを防止することができる。そのように除去した異物４６は重力の作用により回収容器４１の底部にためる。
【００７１】
なお、前述には駆動レジストローラ２４ａに異物除去装置４０を設ける例を示したが、従動レジストローラ２４ｂに異物除去装置４０を設けても良い。
【００７２】
また、上述には異物除去装置４０をレジストローラ２４に設けたが、本発明はこれに限られず、用紙Ｓを搬送する給送ローラ２２・３３、または搬送ローラ２５などに設けても良い。
【００７３】
なお、記録媒体搬送回転部材として、ローラ状のものを用いる例を示したが、本発明はこれに限られず、ベルト状のものを用いても良い。
【００７４】
ところで、そのような異物除去装置４０において、駆動レジストローラ２４ａの周面と開口部Ｚの上流側縁部４１ｄとの隙間Ｔを変えて実験をしてみると、以下のことがわかった。
【００７５】
駆動レジストローラ２４ａの周面と開口部Ｚの上流側縁部４１ｄとの隙間Ｔを０．８ｍｍ未満とすると、その隙間Ｔで異物４６がつまってしまう問題がある。
【００７６】
一方、駆動レジストローラ２４ａの周面と開口部Ｚの上流側縁部４１ｄとの隙間Ｔを２．０ｍｍより大とすると、その隙間Ｔで、回収容器４１から異物４６がもれてしまう問題がある。
【００７７】
したがって、駆動レジストローラ２４ａの周面と開口部Ｚの上流側縁部４１ｄとの隙間Ｔが、０．８ｍｍ〜２．０ｍｍとなるように異物除去装置４０を設けると、駆動レジストローラ２４ａの周面と開口部Ｚの上流側縁部４１ｄとの隙間Ｔで異物４６がつまるのを防止するとともに、その隙間Ｔから異物４６が飛散するのを防止することができる。
【００７８】
次に、プリンタ装置本体１０に備える開閉機構５０について説明する。図１に示したプリンタ装置本体１０の図中右側面には、図４に示すように、軸５１ａを中心に、回動自在なカバー部材５１を設ける。
【００７９】
そのカバー部材５１の中央やや下には、そのカバー部材５１に、回動自在な軸５２を有する第１回動量規制部材５２を設ける。
【００８０】
その第１回動量規制部材５２の多端には、回動自在な軸５２ｂを設ける。その軸５２ｂには、第２回動量規制部材５３の一端を回動自在に設ける。
【００８１】
その第２回動規制部材５３の多端には、作像装置２０などを支持する固定側板などに、回動自在な軸５３ａを設ける。また、第２回動量規制部材５３の一端近傍には、リンク部材５４の一端を軸５４ａで回動自在に設ける。
【００８２】
そのリンク部材５４の多端には、長穴５４ｂを設ける。その長穴５４ｂには、ブラケット５５に設けたピン５５ａを、長穴５４内を移動自在に設ける。
【００８３】
そのブラケット５５は、用紙Ｓの搬送を案内するガイド部材４５ａに設ける。また、ブラケット５５は、駆動レジストローラ２４ａの軸２４ｃに、回動自在に取り付けている。ガイド部材４５ａには、図２に示した異物除去装置４０を取り付けて支持する。
【００８４】
ガイド部材４５ａに対し、用紙搬送路Ｒをはさんで反対側には、同じく用紙Ｓの搬送を案内するガイド部材４５ｂを設ける。
【００８５】
そして、このようなプリンタ装置本体１０のレジストローラ２４の近傍で、用紙Ｓがジャムした場合、開閉機構５０を用いて、次のようにしてジャム処理を行う。
【００８６】
まず、プリンタ装置本体１０の右側に設けたカバー部材５１を、軸５１ａを中心に時計まわりに回動する。そのカバー部材５１の回動に伴い、第１回動量規制部材５２は、軸５２ｂを中心に時計まわりに、第２回動量規制部材５３は軸５３ａを中心に反時計まわりに回動する。
【００８７】
また、第２回動量規制部材５３の回動にともない、リンク部材５４が移動し、その移動により、リンク部材５４の他端にあるピン５５ａが、長穴５４ｂ内を移動する。そして、ピン５５ａが長穴５４ｂの多端側に突き当たると、前述のリンク部材５４のさらなる移動により、ブラケット５５が軸２４ｃを中心にガイド部材４５ａとともに反時計まわりに回動する。
【００８８】
やがて、図５に示すように、第１回動量規制部材５２と第２回動量規制部材５３とがほぼ一直線状となると、第２回動量規制部材５３の多端は、軸５３ａで固定側板に取りつけられているため、カバー部材５１の回動が停止する。
【００８９】
そのカバー部材５１の回動の停止に伴い、ガイド部材４５ａもジャム処理位置で停止する。その後、レジストローラ２４近傍のジャムした用紙Ｓを取り除く。
【００９０】
その後、上述とは逆の動作を行い、カバー部材５１を、軸５１ａを中心に反時計まわりに回動して、カバー部材５１を閉じる。
【００９１】
よって、このような開閉機構５０を設ければ、レジストローラ２４の近傍でジャムした用紙Ｓを取り出すこともできる。
【００９２】
次に、そのような開閉機構５０を用いてガイド部材４５ａを回動する場合の異物除去装置４０の動作を図６から図８を用いて説明する。
【００９３】
まず、図６に示すように、ガイド部材４５ａをガイド位置からジャム処理位置へと移動する中間位置では、ガイド部材４５ａの回動とともに、回転体４３は停止した駆動レジストローラ２４ａの周面を反時計まわりに回動しながら、駆動レジストローラ２４ａの周面に付着した異物４６を除去する。同時に、第１ブレード４２も駆動レジストローラ２４ａの周面に付着した異物４６を除去する。
【００９４】
次に、図７に示すように、ガイド部材４５ａをジャム処理位置とする。その後、ジャム処理を行う。
【００９５】
次いで、ガイド部材４５ａをジャム処理位置からガイド位置へと移動する場合、図８に示すように、回転体４３には不図示の一方向クラッチを設けるので、回転体４３は時計まわりに回動せずにロック状態で移動する。
【００９６】
このように、回転体４３を駆動レジストローラ２４ａに従動回転のみするように設けるので、例えばガイド部材４５ａをジャム処理位置からガイド位置へと移動する場合においても、回転体４３の、回収容器４１内に回収した異物４６を放出する方向への回転を防止して、異物４６が回収容器４１外へ出て、プリンタ装置本体１０内へ飛散することを防止することができる。
【００９７】
なお、異物除去装置４０の回収容器４１内に、ある一定量の異物４６がたまった場合には、図７に示すように、ガイド部材４１をジャム処理位置としてから、ガイド部材４１で支持する古い異物除去装置４０のつまみ部４１ａをつまんで取り外してから、新しい異物除去装置４０を取り付ける。その後、ガイド部材４１を、ガイド位置へと戻す。
【００９８】
ところで、別の例の異物除去装置４０を図９に示す。その図９に示す異物除去装置４０において、図２および図３などに示した異物除去装置４０と同様のものには、同一の符号を付して説明を省略する。
【００９９】
この異物除去装置４０の回収容器４１には、図中右側の側面に圧抜き開口４１ｂを設け、その圧抜き開口４１ｂを塞ぐフィルタ５８を取り付けている。このフィルタ５８は、異物４６の大きさよりも細かい目をしている。
【０１００】
このようにすれば、回転体４３の回転により、仮に、回収容器４１内の圧力が高くなった場合においても、フィルタ５８を介して圧抜き開口４１ｂから圧が抜けるため、回収容器４１から異物４６が飛散するのを防止することができる。
【０１０１】
【発明の効果】
以上説明したとおり、請求項１に係る発明によれば、回収容器の開口部を記録媒体搬送回転部材の周面に向け、その記録媒体搬送回転部材の周面に接触してその回転方向における開口部の下流側位置に異物除去部材を設け、記録媒体搬送回転部材の周面に接触してその回転方向における開口部の上流側内部に回転体を設けるので、回収容器の開口部を、記録媒体搬送回転部材と回転体と異物除去部材とで塞ぐから、記録媒体搬送回転部材から除去して回収容器内に回収した異物を確実に保持して、異物の飛散を防止することができる。
【０１０２】
加えて、記録媒体搬送回転部材の周面に接触してその回転方向における開口部の上流側内部に回転体を設けるので、回転体の回転により、異物を回収容器内に搬送するから、回転体の上流で異物がたまることを防止することができる。
【０１０３】
さらに加えて、電圧印加部を不要とするから、異物除去装置を安価に提供することもできる。
【０１０４】
さらに加えて、記録媒体搬送回転部材の周面に付着した異物を、異物除去部材および回転体で二重に除去するので、異物を確実に除去することもできる。
【０１０５】
よって、そのように記録媒体搬送回転部材から異物を除去するので、記録媒体搬送回転体の摩擦係数の低下を防止して、記録媒体の搬送にくるいが生じることを防止することができる。
【０１０６】
また、そのように記録媒体搬送回転部材から異物を除去するので、異物が作像装置に入り込むことを防止して、異状画像の形成を防止することができる。
【０１０７】
加えて、請求項２に係る発明によれば、回転体を記録媒体搬送回転部材に従動回転のみするように設けるので、回転体の、回収容器内に回収した異物を放出する方向への回転を防止して、異物が飛散するのを防止することができる。
【０１０８】
加えて、請求項３に係る発明によれば、回転体として、ブラシを用いるので、一層良好に異物を除去することができる。
【０１０９】
加えて、請求項４に係る発明によれば、回転体として、周面を布で覆ったローラを用いるので、一層良好に異物を除去することができる。
【０１１０】
加えて、請求項５に係る発明によれば、回転体に接触してそれに付着する異物を除去する回転体異物除去部材を設けるので、回転体に付着した異物を回転体異物除去部材により除去し、除去した異物が、再度、記録媒体搬送回転部材に付着するのを防止することができる。
【０１１１】
加えて、請求項６に係る発明によれば、記録媒体搬送回転部材の周面と開口部の上流側縁部との間に、０．８ｍｍ〜２．０ｍｍの隙間を設けるので、記録媒体搬送回転部材と開口部の上流側側縁部との隙間で異物がつまるのを防止するとともに、その隙間から異物が飛散するのを防止することができる。
【０１１２】
加えて、請求項７に係る発明によれば、回収容器に圧抜き開口を設けるとともに、その圧抜き開口を塞ぐフィルタを備えるので、回転体の回転により、回収容器内の圧力が高くなった場合においても、フィルタを介して圧抜き開口から圧が抜けるため、回収容器から異物が飛散するのを防止することができる。
【０１１３】
加えて、請求項８に係る発明によれば、画像形成装置が、請求項１ないし７のいずれか１に記載の異物除去装置を備えるので、前述した各効果を有する画像形成装置を提供することができる。
【０１１４】
加えて、請求項９に係る発明によれば、請求項８に記載の画像形成装置において、請求項１ないし７に記載の異物除去装置を、記録媒体の搬送を案内するガイド部材で支持するので、異物除去装置を取り付ける部材を新たに設けることを不要とするから、安価な画像形成装置を提供することができる。
【０１１５】
加えて、請求項１０に係る発明によれば、請求項９に記載の画像形成装置において、ガイド部材を、記録媒体の搬送を案内するガイド位置とジャム処理位置とに回動自在に設けるので、記録媒体がジャムしたとき、ガイド部材をジャム処理位置へと回動できるから、ジャムした記録媒体を容易に除去することができる。
【図面の簡単な説明】
【図１】この発明による画像形成装置の全体概略構成図である。
【図２】その画像形成装置に備える異物除去装置の構成図である。
【図３】その異物除去装置を、画像形成装置の記録媒体搬送回転部材に設けた場合の説明図である。
【図４】その画像形成装置に備えるガイド部材が、ガイド位置にある場合の説明図である。
【図５】そのガイド部材がジャム処理位置にある場合の説明図である。
【図６】そのガイド部材をジャム処理位置へと回動する途中における異物除去装置の説明図である。
【図７】そのガイド部材をジャム処理位置とした場合における異物除去装置の説明図である。
【図８】そのガイド部材をジャム処理位置からガイド位置へと回動する途中における異物除去装置の説明図である。
【図９】その異物除去装置の別の一例の構成図である。
【図１０】従来の画像形成装置に備える異物除去装置の一例を示す概略構成図である。
【図１１】従来の画像形成装置に備える異物除去装置の他例を示す概略構成図である。
【図１２】従来の画像形成装置に備える異物除去装置のさらにまた別の例を示す概略構成図である。
【符号の説明】
１０    プリンタ装置本体
２２、３３    給紙ローラ（記録媒体搬送回転部材）
２４    レジストローラ（記録媒体搬送回転部材）
２５    搬送ローラ（記録媒体搬送回転部材）
４０    異物除去装置
４１    回収容器
４１ｂ  圧抜き開口
４２    第１ブレード（異物除去部材）
４３    回転体
４４    第２ブレード（回転体異物除去部材）
４５ａ、４５ｂ    ガイド部材
４６    異物
５８    フィルタ
Ｓ      用紙（記録媒体）
Ｔ      隙間
Ｚ      開口部
【図１】
2004161473.tif 000003
【図２】
2004161473.tif 000004
【図３】
2004161473.tif 000005
【図４】
2004161473.tif 000006
【図５】
2004161473.tif 000007
【図６】
2004161473.tif 000008
【図７】
2004161473.tif 000009
【図８】
2004161473.tif 000010
【図９】
2004161473.tif 000011
【図１０】
2004161473.tif 000012
【図１１】
2004161473.tif 000013
【図１２】
2004161473.tif 000014